(57)【要約】【課題】穀稈ガイドの破損を防止し、収穫収穫の効率を高めることができるコンバインを提供する。【解決手段】引起装置（１１）の未刈取側に設けられたサイドカバー（１１ａ）の下縁を、側面視において分草体（１０）を支持する分草フレーム（１５）の上方に臨ませ、収納姿勢の穀稈ガイド（８）を、平面視において機体の内側に配置し、穀稈ガイド（８）の前端部を、側面視においてサイドカバー（１１ａ）の下縁と分草フレーム（１５）の間に配置することのより解決される。【選択図】図３
2013153687.tif 000002
【特許請求の範囲】
【請求項１】
機体の前側に配置された刈取装置（４）に、穀稈を左右に分草する分草体（１０）と、穀稈を引起す引起装置（１１）と、該引起装置（１１）によって引起された穀稈を掻き込む掻込装置（１３ａ）と、該掻込装置（１３ａ）で掻き込まれる穀稈を刈取る刈刃装置（１２）を有し、
該刈取装置（４）の左右一側部から後方に延出した穀稈ガイド（８）と、該穀稈ガイド（８）を機体の左右一側部に沿う収納姿勢と、該収納姿勢よりも外側方に張出した張出姿勢とに切替える切替手段（９）を備えるコンバインにおいて、
前記引起装置（１１）の外側部に設けられたサイドカバー（１１ａ）の下縁を、側面視において前記分草体（１０）を支持する分草フレーム（１５）の上方に臨ませ、
前記収納姿勢の穀稈ガイド（８）を、平面視において前記サイドカバー（１１ａ）の外側端よりも機体内側に配置し、該穀稈ガイド（８）の前端部を、側面視においてサイドカバー（１１ａ）の下縁と分草フレーム（１５）の間に配置したことを特徴とするコンバイン。
【請求項２】
前記サイドカバー（１１ａ）の下縁を、側面視において前記掻込装置（１３ａ）に備えるスターホイール（１６）よりも上方に配置した請求項１記載のコンバイン。
【請求項３】
前記収納姿勢の穀稈ガイド（８）を、側面視において前記スターホイール（１６）と重なるように配置した請求項２記載のコンバイン。
【請求項４】
前記引起装置（１１）の前記サイドカバー（１１ａ）が設けられた側とは反対の側に設けられた第２サイドカバー（１１ｂ）の下縁を、前記サイドカバー（１１ａ）の下縁よりも低く配置した請求項１〜３の何れか１項に記載のコンバイン。
【発明の詳細な説明】
【技術分野】
【０００１】
本発明は、コンバインに関するものである。
【背景技術】
【０００２】
刈取穀稈の搬送の乱れを防止し、圃場の未刈取穀稈の巻き込みを防止するために、特許文献１には、機体の左側部に開閉式穀稈ガイドを備えたコンバインが開示されている。
【先行技術文献】
【特許文献】
【０００３】
【特許文献１】特開２０１１−５０３２８号公報
【発明の概要】
【発明が解決しようとする課題】
【０００４】
しかし、特許文献１記載の発明における穀稈ガイドの前部は、刈取装置のサイドカバーの外方に収納されるために、走行中に穀稈ガイドの前部に障害物が衝突し、穀稈ガイドが破損する虞があった。
また、逆刈取作業時に、畦道とサイドカバーの外方に収納された穀稈ガイドの前部の衝突を回避するために、広い未刈取領域が残り、収穫作業の効率を高めること困難であった。
【０００５】
そこで、本発明の主たる課題は、かかる問題点を解消することにある。
【課題を解決するための手段】
【０００６】
上記課題を解決した本発明は次記のとおりである。
請求項１に係る発明は、機体の前側に配置された刈取装置（４）に、穀稈を左右に分草する分草体（１０）と、穀稈を引起す引起装置（１１）と、該引起装置（１１）によって引起された穀稈を掻き込む掻込装置（１３ａ）と、該掻込装置（１３ａ）で掻き込まれる穀稈を刈取る刈刃装置（１２）を有し、該刈取装置（４）の左右一側部から後方に延出した穀稈ガイド（８）と、該穀稈ガイド（８）を機体の左右一側部に沿う収納姿勢と、該収納姿勢よりも外側方に張出した張出姿勢とに切替える切替手段（９）を備えるコンバインにおいて、
前記引起装置（１１）の外側部に設けられたサイドカバー（１１ａ）の下縁を、側面視において前記分草体（１０）を支持する分草フレーム（１５）の上方に臨ませ、前記収納姿勢の穀稈ガイド（８）を、平面視において前記サイドカバー（１１ａ）の外側端よりも機体内側に配置し、該穀稈ガイド（８）の前端部を、側面視においてサイドカバー（１１ａ）の下縁と分草フレーム（１５）の間に配置したことを特徴とするコンバインである。
【０００７】
請求項２に係る発明は、前記サイドカバー（１１ａ）の下縁を、側面視において前記掻込装置（１３ａ）に備えるスターホイール（１６）よりも上方に配置した請求項１記載のコンバインである。
【０００８】
請求項３に係る発明は、前記収納姿勢の穀稈ガイド（８）を、側面視において前記スターホイール（１６）と重なるように配置した請求項２記載のコンバインである。
【０００９】
請求項４に係る発明は、前記引起装置（１１）の前記サイドカバー（１１ａ）が設けられた側とは反対の側に設けられた第２サイドカバー（１１ｂ）の下縁を、前記サイドカバー（１１ａ）の下縁よりも低く配置した請求項１〜３の何れか１項に記載のコンバインである。
【発明の効果】
【００１０】
請求項１記載の発明によれば、収納姿勢の穀稈ガイド（８）を、平面視においてサイドカバー（１１ａ）の外側端よりも内側に配置し、穀稈ガイド（８）の前端部を、側面視においてサイドカバー（１１ａ）の下縁と分草フレーム（１５）の間に配置しているので、走行中に穀稈ガイド（８）と外部の障害物干渉し難く、穀稈ガイド（８）の破損を防止することができる。
【００１１】
請求項２記載の発明によれば、請求項１記載の発明の効果に加えて、サイドカバー（１１ａ）の下縁を、側面視において前記掻込装置（１３ａ）に備えるスターホイール（１６）よりも上方に配置しているので、刈取装置（４）内に滞留した藁屑等を外部に容易に排出することができるために、藁屑等の詰まりによる作業中断を回避でき作業能率を高めることができる。
【００１２】
請求項３記載の発明によれば、請求項２記載の発明の効果に加えて、前記収納姿勢の穀稈ガイド（８）を、側面視において前記スターホイール（１６）と重なるように配置しているので、サイドカバー（１１ａ）と分草フレーム（１５）の間から刈取装置（４）内に進入した異物がスターホイール（１６）と接触することを回避でき、スターホイール（１６）の破損による作業中断を回避でき、作業能率を高めることができる。
【００１３】
請求項４記載の発明によれば、請求項１〜３の何れか１項に記載の発明の効果に加えて、引起装置（１１）の前記サイドカバー（１１ａ）が設けられた側とは反対の側に設けられた第２サイドカバー（１１ｂ）の下縁を、前記サイドカバー（１１ａ）の下縁よりも低く配置しているので、第２サイドカバー（１１ｂ）の下側から刈取装置（４）内に進入した異物が進入することを防止でき、搬送装置（１３）の破損による作業中断を回避でき、作業能率を高めることができる。
【図面の簡単な説明】
【００１４】
【図１】第一実施形態のコンバインの正面図である。
【図２】第一実施形態のコンバインの平面図である。
【図３】第一実施形態のコンバインの部分断面平面図である。
【図４】第一実施形態のコンバインの左側面図である。
【図５】張出姿勢のナローガイドを示す平面図である。
【図６】収納姿勢のナローガイドを示す平面図である。
【図７】操作レバーの説明図である。
【図８】ナローガイドを上下に揺動する説明図である。
【図９】上方傾斜な張出姿勢のナローガイドを示す要部正面図である。
【図１０】下方傾斜な張出姿勢のナローガイドを示す要部正面図である。
【図１１】他の屈伸リンクの平面図である。
【図１２】他の屈伸リンクの平面図である。
【図１３】第二実施形態のコンバインの正面図である。
【図１４】収納姿勢のナローガイドを示す平面図である。
【図１５】張出姿勢のナローガイドを示す平面図である。
【発明を実施するための形態】
【００１５】
以下、本発明の第一実施形態について添付図面を参照しつつ詳説する。なお、理解を容易にするために便宜的に方向を示して説明しているが、これらにより構成が限定されるものではない。
【００１６】
コンバインは、図１〜図４に示すように、機体フレーム１の下方には土壌面を走行する左右一対のクローラからなる走行装置２が設けられ、機体フレーム１の上方左側には脱穀・選別を行う脱穀装置３が設けられ、脱穀装置３の前方には圃場の穀桿を収穫する刈取装置４が設けられている。脱穀装置３で脱穀・選別された穀粒は脱穀装置３の右側に設けられたグレンタンク５に貯留され、貯留された穀粒は排出筒７により外部へ排出される。
また、機体フレーム１の上方右側には操作者が搭乗する操作部を備えた運転席６が設けられている。
【００１７】
（刈取装置）
刈取装置４は、立毛する穀稈を左右に分草する分草体１０と、分草後の穀稈を引起す引起装置１１と、引起し後の穀稈を掻き込む掻込装置１３ａと、この掻込装置１３ａで掻き込まれる穀稈を刈取る刈刃装置１２と、刈取後の穀稈を掻込搬送する搬送装置１３等からなり、機体フレーム１に対し上下動可能な伝動軸を内装する伝動筒１４を介して上下方向に昇降する構成としている。
【００１８】
分草体１０は、伝動筒１４の先端に設けられた伝動軸ケース１４ａから前側に延びる
分草フレーム１５の先端に設けられている。
【００１９】
駆動部と操作者の手先等の接触を防止し安全性を高めるために、最左側の引起装置１１の左側には左サイドカバー（サイドカバー）１１ａが設けられ、最右側の引起装置１１の右側には右サイドカバー（第２サイドカバー）１１ｂが設けられている。
【００２０】
引起装置１１内に滞留する排藁等を外部に排出し、引起装置１１の作動を良好に維持するために、図３に示すように、左サイドカバー１１ａの下縁は、穀稈の株元を掻込んで搬送するチェン等を有する掻込装置１３ａのスターホイール１６の上方近傍に臨み、側面視において、左サイドカバー１１ａの下縁と分草フレーム１５の間には、排藁等を外部に排出する隙間が形成されている。
また、駆動部、特に高速回転するスターホイール１６に刈取装置４へ進入した異物が接触することを防止するために、スターホイール１６の左側には、後述する収納姿勢のナローガイド８の前部８ａを収納している。
【００２１】
一方、操作者が頻繁に作業を行なう運転席６側に設けられた右サイドカバー１１ｂは、安全性を高めるために、図１に示すように、右サイドカバー１１ｂの下縁は、分草体４０を支持する分草フレーム４５の上方近傍に臨んでいる。
【００２２】
（ナローガイド）
コンバインの左側（未刈取側）には側部に沿って、図３に示すように、コンバインの外側に張り出す張出姿勢と、内側に収納される収納姿勢に切替え可能なナローガイド（穀稈ガイド）８が設けられている。
【００２３】
ナローガイド８は、間接状態に連結された前部８ａと後部８ｂからなり、前部８ａの前端部は、最左側の分草体１０の後側の分草フレーム１５の前端部に回動自在に枢支され、後部８ｂの後端部は、機体フレーム１の左側の側部に設けた支持部材２８によって前後方向に移動自在に支持されている。
また、収納時にコンバインの外側への突出を防止し、逆刈取作業（右回り刈取作業）時に外部の障害物との接触を防止するために、後部８ｂを脱穀装置３のフィードチェンカバー３ａの下側のベルトカバー３ｂの下縁に沿って延伸させている。
【００２４】
ナローガイド８を張出姿勢と収納姿勢を切替える切替手段９は、屈伸リンク２０と、屈伸リンク２０を支持する第２ブラケット２３と、第２ブラケット２３を支持する第１ブラケット２２と、操作ワイヤ２５ａ、２５ｂ等が連結された操作レバー２１から構成されている。
【００２５】
ナローガイド８を張出姿勢と収納姿勢に切替えるために、ナローガイド８の前部８ａの中間部には、図５〜図７に示すように、第１リンク２０ａと第２リンク２０ｂからなる横幅方向に屈伸可能な屈伸リンク２０が連結されている。また、屈伸リンク２０の屈伸は、運転席６の左部に配置された操作ボックス６ａに設けられた操作レバー２１によって遠隔操作できるように構成されている。
【００２６】
伝動軸ケース１４ａより前側上方に向かって立設する横伝動フレーム１４ｂの基部近傍には第１ブラケット２２が支持されており、第１ブラケット２２の後面には、第２リンク２０ｂを支持する第２ブラケット２３がボルト等の締結手段によって取付けられている。
【００２７】
第１リンク２０ａの先端部は、ナローガイド８の前部８ａの中間部に回転自在に支持され、第１リンク２０ａの基端部は、第２リンク２０ｂの先端部に回転自在に支持されている。
また、第１リンク２０ａの基端部には、第２リンク２０ｂの先端部に接当し、第１リンク２０ａの揺動を制限するストッパー２０ｃが設けられている。ストッパー２０ｃは、刈取等の作業中に、ナローガイド８に外部の障害物が衝突して、ナローガイド８が破損する直前に破損し、ナローガイド８、及び屈伸リンク２０を破損から護る安全装置である。
【００２８】
収納姿勢のナローガイド８を左サイドカバー１１ａの下縁の下方に形成された隙間に容易に配置するために、第２ブラケット２３に軸支された回転軸２４の上端部に回転軸２４と一体となって揺動する第２リンク２０ｂの基端部を支持し、回転軸２４の下端部に第２リンク２０ｂ、及び回転軸２４と一体となって揺動する天秤アーム２５を支持している。
【００２９】
天秤アーム２５の両端には２本の操作ワイヤ２５ａ，２５ｂの一端側が連結され、操作ワイヤ２５ａ，２５ｂの他端側は操作レバー２１の下端部に連結されている。
【００３０】
従って、図７に示すように、操作レバー２１を矢印で示す後方に移動させた場合には、操作レバー２１の支持軸２１ａの上方に設けられた取付ピン２１ｂに連結された操作ワイヤ２５ａが後方に引張られ、支持軸２１ａの下方に設けられた取付ピン２１ｃに連結された操作ワイヤ２５ｂが前方に引戻される。これによって、図５に示すように、操作ワイヤ２５ａが操作レバー２１側（内側）に引張られ、操作ワイヤ２５ｂが反操作レバー２１側（外側）に引戻されて、天秤アーム２５を反時計方向に揺動させ、ナローガイド８を矢印で示すように収納姿勢から張出姿勢に移動させる。
【００３１】
一方、操作レバー２１を前方に揺動させた場合には、操作レバー２１を支持する支持軸２１ａの上方に設けられた取付ピン２１ｂに連結された操作ワイヤ２５ａが前方に引戻され、支持軸２１ａの下方に設けられた取付ピン２１ｃに連結された操作ワイヤ２５ｂが後方に引張られる。これによって、図６に示すように、操作ワイヤ２５ａが反操作レバー２１側（外側）に引戻され、操作ワイヤ２５ｂが操作レバー２１側（内側）に引張られて、天秤アーム２５を時計方向に揺動させ、ナローガイド８を張出姿勢から収納姿勢に移動させる。
【００３２】
ナローガイド８を圃場の穀稈丈に対応する高さに調節するために、図８に示すように、第１ブラケット２２の後面には、ナローガイド８を支持する屈伸リンク２０等を有する第２ブラケット２３を取付ける内側の固定ボルト２６と、上下方向に移動可能な外側の調節ボルト２７が設けられており、第１ブラケット２２に対して第２ブラケット２３を傾斜自在に取付けることができる。
すなわち、固定ナット２６ａ，調整ナット２７ａを共に緩めた状態にして、第１ブラケット２２に対して、固定ボルト２６を支点にして、調節ボルト２７を第１ブラケット２２の調節長孔５ａに沿って上下に移動させて再び固定ナット２６ａ，調整ナット２７ａを締め付けて固定できる構成としている。なお、締結部の緩みを防止するために、固定ナット２６ａ、及び調整ナット２７ａはダブルナットとし、調節ボルト２７の固定位置のズレを防止するために、第２ブラケット２３と調整ナット２７ａの間にスプリング２７ｂを設けている。
【００３３】
これによって、第１ブラケット２２の調節長孔５ａの中間部に調節ボルト２７を移動させて、図１に示すように、ナローガイド８を略水平な張出姿勢にしたり、第１ブラケット２２の調節長孔５ａの上端部に調節ボルト２７を移動させて、図９に示すように、ナローガイド８を上方傾斜な張出姿勢にしたり、第１ブラケット２２の調節長孔５ａの下端部に調節ボルト２７を移動させて、図１０に示すように、ナローガイド８を下方傾斜な張出姿勢に調整することができる。
【００３４】
（他の第２屈伸リンク）
次に、第一実施形態に使用される他の屈伸リンク３０について説明する。なお、同一部材には同一符号を付し重複した説明は省略する。
【００３５】
ナローガイド８を張出姿勢と収納姿勢に切替えるために、前部８ａの中間部には、図１１、図１２に示すように、第１リンク３０ａと第２リンク３０ｂからなる横幅方向に屈伸可能な屈伸リンク３０が連結されている。なお、第２リンク３０ｂは、屈伸リンク２０の第２リンク２０ｂと同一構造である。
【００３６】
第１リンク３０ａは、図１１に示すように、ナローガイド８の前部８ａの中間部に先端部を回転自在に支持したシャフト３１と、シャフト３１を前後に移動可能に支持し、第２リンク３０ｂの先端部に回転自在に支持された支持リンク３２と、支持リンク３２に一端が揺動可能に支持されシャフト３１が貫通する開口孔３３ａが形成された揺動板３３から構成されている。また、揺動板３３の他端には、一端が支持リンク３２に固定されたスプリング３４が設けられている。
【００３７】
揺動板３３は、スプリング３４の収縮力によって支持リンク３２の支持部を中心として他端が前方に傾斜し、揺動板３３の開口孔３３ａの開口縁とシャフト３１が接当し、シャフト３１を仮止めすることができる。
【００３８】
刈取等の作業中に、外部からナローガイド８に障害物が衝突した場合には、図１２に示すように、ナローガイド８等が破損する直前に、シャフト３１を内側に押し込む力によって、開口孔３３ａの開口縁とシャフト３１が離間し、シャフト３１が内側に押し込まれ、ナローガイド８等を破損から護る安全装置とした構成となっている。
【００３９】
（第二実施形態）
次に、本発明の第二実施形態について説明する。なお、同一部材には同一符号を付し重複した説明は省略する。
【００４０】
コンバインは、図１３に示すように、２条から４条刈りまで適用可能なコンバインとするために、分草フレーム１５の先端部に設けた縦軸１５ａを中心として左右の分草体１０，１０が幅方向に開閉可能な構成とし、引起装置１１の下部に内装された固定輪体（図示省略）を中心に可動輪体（図示省略）を上下に揺動するによって、引起装置１１の下部を移動するラグ１１ｃの先端の軌跡を略円弧から一部に水平部を有する略円弧に切替え可能な構成としている。
【００４１】
ナローガイド８は、間接状態に連結された前部８ａと後部（図示省略）から構成されている。最左側の分草体１０とナローガイド８の移動時の干渉を防止し、分草体１０とナローガイド８の振動を低減するために、図１４、図１５に示すように、前部８ａの前端部は、最左側の分草体１０を支持する縦軸１５ａに回動自在に枢支され、後部の後端部は、機体フレーム１の左側側部に設けた支持部材２８によって前後方向に移動自在に支持されている。
【００４２】
丈が短い穀稈のナローガイド８への絡みを防止するために、前部８ａの前端部は、縦軸１５ａよりも前方に延伸した後、右側に傾斜し、最左側の分草体１０の後側近傍に臨んでいる。なお、ナローガイド８の張出姿勢と収納姿勢に依らず、また、最左側の分草体１０の開閉状態に依ることなく、前部８ａの前端部は、常に、正面視において、最左側の分草体１０の後側に位置する。
【００４３】
逆刈取作業（右回り刈取作業）時に外部の障害物との接触を防止し、刈り残し領域を低減するために、開状態の最左側の分草体１０の左面と、収納姿勢のナローガイド８の左面を略同一ライン上に配置することが好ましい。
【産業上の利用可能性】
【００４４】
本発明は、農業用作業車輌に適用できるものである。
【符号の説明】
【００４５】
３          脱穀装置
４          刈取装置
８          ナローガイド（穀稈ガイド）
９          切替手段
１０        分草体
１１        引起装置
１１ａ      左サイドカバー（サイドカバー）
１１ｂ      右サイドカバー（第２サイドカバー）
１２        刈刃装置
１３        搬送装置
１３ａ      掻込装置
１５        分草フレーム
１６        スターホイール
２０        屈伸リンク
２１        操作レバー
２２        第１ブラケット
２３        第２ブラケット
２５        天秤アーム
２５ａ      操作ワイヤ
２５ｂ      操作ワイヤ
【図１】
2013153687.tif 000003
【図２】
2013153687.tif 000004
【図３】
2013153687.tif 000005
【図４】
2013153687.tif 000006
【図５】
2013153687.tif 000007
【図６】
2013153687.tif 000008
【図７】
2013153687.tif 000009
【図８】
2013153687.tif 000010
【図９】
2013153687.tif 000011
【図１０】
2013153687.tif 000012
【図１１】
2013153687.tif 000013
【図１２】
2013153687.tif 000014
【図１３】
2013153687.tif 000015
【図１４】
2013153687.tif 000016
【図１５】
2013153687.tif 000017